(57)【特許請求の範囲】
【請求項１】
無線基地局を介して相手端末と通信を行う無線通信手段と、
外部のサーバ端末に記憶され、見出し語情報とその見出し語に対応した意味情報とを組とした辞書項目情報が複数集まって構成される辞書データベースに対して、入力手段の操作に基づいてアクセスし、見出し語情報を検索キーとして対応する意味情報を検索し、その検索結果を表示手段による表示と振動手段による振動および発音手段による発音で通知するように制御する制御手段を有する電子辞書機能を備えた携帯端末装置であって、
前記発音手段は、楽音制御データにしたがって楽音を合成する楽音合成タイプの発音手段であり、
前記意味情報は、少なくともその見出し語情報の意味を表す単語データと、前記見出し語の発音の仕方を表す第１の発音データおよび前記見出し語に関連した音を表す第２の発音データとから構成され、
前記第２の発音データは、楽音合成タイプのシーケンスデータからなり、
前記制御手段は、ユーザによる前記入力手段の操作にしたがい、前記無線通信手段を介して見出し語情報を前記サーバ端末に送信し、前記辞書データベースにおいて前記見出し語情報を検索キーとして対応する意味情報が検索された後、前記表示手段に少なくとも前記単語データを表示させ、さらなる操作により前記第１の発音データ及び前記第２の発音データを受信し、前記発音手段による前記第１または第２の発音データに基づく発音を行い、前記第２の発音データに基づいて前記振動手段を駆動するように制御することを特徴とする電子辞書機能を備えた携帯端末装置。
【請求項２】
無線基地局を介して相手端末と通信を行う無線通信手段を有し、
前記発音データに基づき発音する前記発音手段は、相手端末からの着信を受けたとき着信メロディを発音する発音手段と共用されることを特徴とする請求項１に記載の電子辞書機能を備えた携帯端末装置。
【請求項３】
無線基地局を介して相手端末と通信を行う無線通信手段を有し、
前記振動手段はバイブレータであって、
前記バイブレータは、相手端末からの着信を受けたとき着信通知用振動をするバイブレータと共用されることを特徴とする請求項１または２のいずれかに記載の電子辞書機能を備えた携帯端末装置。
【請求項４】
前記各辞書項目情報は、該辞書項目情報を有する前記辞書データベースをリンク先としている辞書リンク付き文書から前記辞書データベースの所定の辞書項目情報にジャンプできるようにリンクアドレス情報を有していることを特徴とする請求項１ないし３のいずれかに記載の電子辞書機能を備えた携帯端末装置。
【発明の詳細な説明】
【０００１】
【発明の属する技術分野】
本発明は、携帯電話機、ＰＨＳ（Personal Handyphone System）等の携帯端末装置に係り、特に、電子辞書機能を備えた携帯端末装置に関する。
【０００２】
【従来の技術】
見出し語情報とその見出し語に対応した意味情報を検索することができる電子辞書機能を備えた携帯端末装置としては、特開平７−８７１６８号公報に記載された発明がある。この携帯端末装置は、単語の意味を表示するとともに読みを発音するだけのものである。
また、リンク付き文書から電子辞書にジャンプできるシステムとして、特開平９−３０５５７９号公報に記載された発明がある。
【０００３】
【発明が解決しようとする課題】
上述した特開平７−８７１６８号公報に記載された携帯端末装置は、単語の意味情報を表示するとともに読みを発音するだけのものであり、面白味に欠けるという問題がある。すなわち、辞書を引いた際に、インパクトが弱く記憶に残らないと共に、遊びの要素がないので辞書を引く気が起きないという問題が有った。
【０００４】
また、特開平９−３０５５７９号公報に記載されたシステムは、電子辞書機能としてはリンク付き文書から電子辞書にジャンプして検索した単語の意味情報を単に表示するものであり、特開平７−８７１６８号公報に記載された携帯端末装置と同様に面白味に欠けるという問題が有った。
本発明はこのような事情に鑑みてなされたものであり、辞書で引く単語の意味の理解を深めることができ、ユーザの興味を引き起こすことができる電子辞書機能を備えた携帯端末装置を提供することを目的とする。
【０００５】
【課題を解決するための手段】
上記目的を達成するために請求項１に記載の発明は、無線基地局を介して相手端末と通信を行う無線通信手段と、外部のサーバ端末に記憶され、見出し語情報とその見出し語に対応した意味情報とを組とした辞書項目情報が複数集まって構成される辞書データベースに対して、入力手段の操作に基づいてアクセスし、見出し語情報を検索キーとして対応する意味情報を検索し、その検索結果を表示手段による表示と振動手段による振動および発音手段による発音で通知するように制御する制御手段を有する電子辞書機能を備えた携帯端末装置であって、前記発音手段は、楽音制御データにしたがって楽音を合成する楽音合成タイプの発音手段であり、前記意味情報は、少なくともその見出し語情報の意味を表す単語データと、前記見出し語の発音の仕方を表す第１の発音データおよび前記見出し語に関連した音を表す第２の発音データとから構成され、前記第２の発音データは、楽音合成タイプのシーケンスデータからなり、前記制御手段は、ユーザによる前記入力手段の操作にしたがい、前記無線通信手段を介して見出し語情報を前記サーバ端末に送信し、前記辞書データベースにおいて前記見出し語情報を検索キーとして対応する意味情報が検索された後、前記表示手段に少なくとも前記単語データを表示させ、さらなる操作により前記第１の発音データ及び前記第２の発音データを受信し、前記発音手段による前記第１または第２の発音データに基づく発音を行い、前記第２の発音データに基づいて前記振動手段を駆動するように制御することを特徴とする。
【０００６】
請求項１に記載の発明によれば、知りたい見出し語情報の意味について、単語データを表示手段に表示し、かつ発音の仕方を表す音、および前記見出し語情報に関連した音を発音手段により発音させるとともに、発音データに基づいて振動手段により振動させることができ、ユーザに辞書で引く単語の意味の理解を深めることができ、電子辞書機能を備えた携帯端末装置に対するユーザの興味を引き起こすことができる。
また、ユーザの検索対象である見出し語に対する理解度に応じて電子辞書機能を利用することができる。
さらに、辞書データベースは外部のサーバ端末に記憶されたものであって、辞書検索時に前記無線通信手段を介して見出し語情報を送信し、前記サーバ端末で検索された検索結果を受信するようにしたので、記憶装置における辞書データベース用の記憶領域が不要となり、携帯端末装置に内蔵される記憶装置の記憶容量を低減できる。
【０００７】
また、請求項２に記載の発明は、請求項１に記載の電子辞書機能を備えた携帯端末装置において、無線基地局を介して相手端末と通信を行う無線通信手段を有し、前記発音データに基づき発音する前記発音手段は、相手端末からの着信を受けたとき着信メロディを発音する発音手段と共用されることを特徴とする。
【０００８】
請求項２に記載の発明によれば、電子辞書機能を実現するための発音手段を相手端末からの着信を受けたとき着信メロディを発音する発音手段と共用するように構成したので、装置構成の簡素化が図れる。
【０００９】
また、請求項３に記載の発明は、請求項１または２のいずれかに記載の電子辞書機能を備えた携帯端末装置において、無線基地局を介して相手端末と通信を行う無線通信手段を有し、前記振動手段はバイブレータであって、前記バイブレータは、相手端末からの着信を受けたとき着信通知用振動をするバイブレータと共用されることを特徴とする。
【００１０】
請求項３に記載の発明によれば、電子辞書機能を実現するためのバイブレータを、相手端末からの着信を受けたとき着信通知用振動をするバイブレータと共用するように構成したので、装置構成の簡素化が図れる。
【００１１】
また、請求項４に記載の発明は、請求項１ないし３のいずれかに記載の電子辞書機能を備えた携帯端末装置において、前記各辞書項目情報は、該辞書項目情報を有する前記辞書データベースをリンク先としている辞書リンク付き文書から前記辞書データベースの所定の辞書項目情報にジャンプできるようにリンクアドレス情報を有していることを特徴とする。
【００１２】
請求項４に記載の発明によれば、前記各辞書項目情報は、該辞書項目情報を有する前記辞書データベースをリンク先としている辞書リンク付き文書から前記辞書データベースの所定の辞書項目情報にジャンプできるようにリンクアドレス情報を有するようにしたので、コンテンツ製作者は必要な単語にリンクを張り、より単語の内容を理解しやすいコンテンツを作成することができる。
【００２５】
【発明の実施の形態】
以下、本発明の実施の形態を図面を参照して詳細に説明する。本発明が適用される移動通信システムの構成を図１に示す。同図において、移動通信システムは、複数の移動局（携帯端末装置）１０−１、１０−２、１０−３、…と、所定のエリア毎に設置された基地局２０−１、２０−２、…と、基地局２０−１、２０−２、…を統括的に制御する制御局３０とを有している。制御局３０は図示してない関門交換局等を介して公衆回線網４０に接続されており、公衆回線網４０にはアクセスポイント４２を介してコンテンツ提供者のコンテンツ配信サーバ４４が接続されている。
【００２６】
次に、本発明の実施の形態に係る携帯端末装置としての携帯電話機の電気的構成を図２に示す。携帯電話機１は、ＣＰＵ５０と、ＲＡＭ５１と、ＲＯＭ５２と、通信部５３と、音声処理部５４と、マイク５５と、受話用スピーカ５６と、入力部５７とを有している。ＣＰＵ５０は、電話機能プログラムを実行することにより携帯電話機１の各部の動作を制御するシステム制御部として機能するとともに、ＲＡＭ５１またはＲＯＭ５２に格納されているコンテンツを再生する際における各種の制御を行う制御手段として機能する。
【００２７】
ＲＡＭ５１は、コンテンツ配信サーバ４４からダウンロードされた各種コンテンツを構成するデータが格納される格納エリアや、ユーザ設定データ格納エリア、およびＣＰＵ５０のワークエリア等が設定されるＲＡＭ（Random Access Memory）である。
また、ＲＯＭ５２は、ＣＰＵ５０が実行する各種制御プログラムや、プリセットされた各種コンテンツのデータ、あるいはプリセットされた着信通知用の各種データ、その他の固定データが格納されているＲＯＭ（Read Only Memory）である。なお、コンテンツのうちの一つとして見出し語情報とその見出し語に対応した意味情報とを組とした辞書項目情報が複数集まって構成される辞書データベースがある。
【００２８】
さらに、通信部５３は、アンテナ２で受信された信号の復調を行うと共に、送信する信号を変調してアンテナ２に供給している。通信部５３で復調された受話信号は、音声処理部５４において、復号されて受話用スピーカ５６より放音され、マイク５５から入力された通話信号は音声処理部５４において圧縮符号化されて通信部５３に出力されるようになっている。
【００２９】
入力部５７は、図３に示すように携帯電話機本体１Ａに設けられ電話を受ける時に使用する開始キー（通話キーに相当する。）、電話を終了する時に使用する終了キー、数値キー（文字キーを兼用する）及び＃キー、＊キー等のコードキーからなるテンキー５７Ａと、各種の機能を設定する際に使用されるＦ（機能）キー、電源のオン、オフを指示する電源キー、各種設定を解除するためのクリアキー等を有している。
【００３０】
また、本実施の形態に係る携帯端末装置としての携帯電話機１は、表示用シーケンサ６０と、発音用シーケンサ６１と、表示部６３と、ＦＭ音源６４と、ＡＤＰＣＭデコーダ６５と、混合器（ＭＩＸ）６６と、着信用スピーカ６７と、バイブレータ６８と、ＡＤＰＣＭエンコーダ６５と、ＰＡＮＰＯＴ７２とを有している。
【００３１】
表示用シーケンサ６０は、所定の画像またはテキストを所定のタイミングで表示部６３に表示させることを指示する表示用シーケンスデータを受け取り、表示部６３を制御する機能を有している。また、発音用シーケンサ６１は、所定の音声または楽音を所定のタイミングでサウンドシステムに発音させることを指示する発音用シーケンスデータを受け取り、ＦＭ音源６４、ＡＤＰＣＭデコーダ６５を制御する機能を有している。
【００３２】
バイブレータ６８は、発音用シーケンサ６１により制御する。すなわち、発音用シーケンスデータに含まれるキーオン等のタイミングに同期してバイブレータ６８を駆動させる。
バイブレータ６８は、電子辞書機能において、見出し語情報を検索キーとしてその意味情報を辞書データから検索する際に、上記見出し語に関連した音を表す発音データに基づいて駆動されると共に、相手端末からの着信を受けたとき着信通知用振動をするバイブレータとしても共用される。
表示用シーケンサ６０及び発音用シーケンサ６１の機能は図２に示したようにハードウエアで実施してもよいし、ソフトウエアに基づきＣＰＵ５０により実施してもよい。
【００３３】
また、ＰＡＮＰＯＴ７２は所定の位置に音像を定位させるために所定の減衰率でＦＭ音源６４の出力とＡＤＰＣＭデコーダ６５の出力をＬ（左）Ｒ（右）チャンネルに振り分ける制御機能を有している。ＦＭ音源６４、ＡＤＰＣＭデコーダ６５は、それぞれ複数の発音チャンネルを有しており、ＰＡＮＰＯＴ７２はこれらのチャンネル毎に制御することができる。
混合器（ＭＩＸ）６６は、ＰＡＮＰＯＴ７２からの各チャンネル出力間のミキシングを行うと共に、ＦＭ音源６４の出力と、ＡＤＰＣＭデコーダ６５の出力とをミキシングして着信用スピーカ６７に出力する機能を有する。
【００３４】
図２に示す携帯電話機１では、本発明の発音手段として、楽音制御データ（例えば、ＭＩＤＩフォーマットの楽音制御データ）にしたがって楽音を合成するタイプのＦＭ音源６４と、録音採取されたＡＤＰＣＭデータを順次再生するタイプのＡＤＰＣＭデコーダ６５を有する構成を示したが、ＡＤＰＣＭデコーダ６５が、見出し語の読み、見出し語に関連した音を発音する。ＦＭ音源６４も見出し語に関連した音を発音するものであるが、専ら、着信を通知する着信メロディ等の楽音の発音を担当する。
【００３５】
このようにＦＭ音源６４及びＡＤＰＣＭデコーダ６５は、電子辞書機能の発音手段として使用されると共に、着信メロディを発音する発音手段としても共用される。
また、楽音を合成するタイプの発音手段としてはＦＭ音源６４の代わりにＷＴ（Wave Table）音源、高調波合成音源、矩形波音源等でもよい。また、録音採取されたデータを順次再生するタイプの発音手段としてはＡＤＰＣＭデコーダ６５の代わりにＰＣＭデコーダ、ＣＥＬＰデコーダ、ＭＰ３デコーダ等でもよい。
【００３６】
表示用シーケンサ６０、発音用シーケンサ６１は、ユーザが辞書データベースの検索操作を行った時に起動されると共に、着信時にも起動される。
辞書データベースは、携帯電話機１のＲＯＭ５２にプリセットされていてもよいし、無線基地局２０−１、２０−２、…、制御局３０を介してコンテンツ配信サーバ４４からＲＡＭ５１にダウンロードしてもよい。また、図示していないインターフェースを介してパーソナルコンピュータ等からダウンロードしてもよい。
【００３７】
次に、本実施の形態に係る携帯電話機１で電子辞書操作時に使用される辞書データベースのフォーマットについて図４乃至図６を参照して説明する。辞書データベースは、図６に示すように見出し語情報（インデックス）と、その見出し語情報に対応した意味情報とを組みにした辞書項目情報が複数集まって構成されている。意味情報は、その見出し語情報の意味を表す単語データ（データ１）、上記見出し語の発音の仕方を表す第１の発音データ（データ２）及び上記見出し語に関連した音を表す第２の発音データ（または上記見出し語に関連した画像を表す画像データ）（データ３）とで構成される。
【００３８】
上述した辞書データベースにおけるデータ１、データ２、データ３の持ち方はアプリケーションにより決められるものである。本実施の形態では、データ３は、単語の意味により異なる。例えば、見出し語情報が「Ｄｕｃｋ」であれば、データ３は「あひるの鳴き声」の発音データであり、見出し語情報が楽器を意味するものであれば、データ３は、楽器の音色を再生する発音データとなる。また、データ３は、見出し語情報の意味によっては、発音データではなく、その見出し語情報に関連する画像を再生するための画像データである場合もある。
【００３９】
図４は辞書データベースのデータフォーマットを示している。各機能（グラフィック、テキスト、…）毎のシーケンスデータの集合体で１ページが構成される。各ページはすべてのシーケンスデータを備えている必要はない。例えば、１ページ目は見出し語の意味を表す単語（テキスト）と、ボタン及び背景を表すグラフィックのみで構成される。ページが複数集まって各辞書項目を構成している。例えば、図４において、辞書項目１はページ１−１〜１−４により構成されている。
【００４０】
さらに、辞書データベースをリンク先としている他の辞書リンク付き文書からこの辞書データベースの所定の辞書項目にジャンプできるように上記辞書データベースにおける各辞書項目には、リンクアドレスが付与されている。図４の例では、辞書項目１にはリンクアドレス１が、辞書項目２にはリンクアドレス２が付与されている。
上記各辞書項目を構成する各ページはグラフィックシーケンスデータ、テキストシーケンスデータ、ＦＭシーケンスデータ及びＡＤＰＣＭシーケンスデータから構成されている。
【００４１】
ここで、グラフィックシーケンスデータおよびテキストシーケンスデータは、表示用シーケンサ６０に解釈される表示用シーケンスデータに、ＦＭシーケンスデータおよびＡＤＰＣＭシーケンスデータは、発音用シーケンサ６１に解釈される発音用シーケンスデータに、それぞれ相当する。
グラフィックシーケンスデータは、グラフィックデータとグラフィック用シーケンスデータとで構成される。グラフィックデータはグラフィックNo.により指定される。グラフィック用シーケンスデータは図５に示すように、イベントデータ（グラフィックNo.、表示時間、表示形態等を表す）とデュレーションデータ（イベント間隔を表す）とで構成される。
【００４２】
また、テキストシーケンスデータは、イベントデータ（テキスト文字列、再生位置等を表す）とデュレーションデータとで構成される。
ＦＭシーケンスデータは、音色データとＦＭ用シーケンスデータとで構成される。音色データはＦＭ合成アルゴリズムを示すデータで音色No.により指定される。ＦＭ用シーケンスデータはイベントデータ（音色No.、音程、音長、ＰＡＮＰＯＴ、等を表す）とデュレーションデータとで構成される。
【００４３】
ＡＤＰＣＭシーケンスデータは、波形データとＡＤＰＣＭ用シーケンスデータとで構成される。波形データは波形No.により指定される。ＡＤＰＣＭ用シーケンスデータはイベントデータ（波形No.、発音時間、ＰＡＮＰＯＴ、等を表す）とデュレーションデータとで構成される。
【００４４】
次に、ＣＰＵ５０により実行される着信通知設定処理について図７のフローチャートを参照して説明する。この着信通知設定処理は、着信を予め設定した表示、着信メロディの発音、バイブレータの振動を行うことにより通知するものである。図７において、ステップ１０１において、着信通知として着信表示を行うか否かが判定される。ステップ１０１で、入力部５７の操作により着信表示が指定されたと判定された場合には、着信時に着信表示を行うことを指示するデータ（ＯＮ）の設定、及び着信時に表示部６３に表示される画像データを特定するデータである画像No.、あるいは表示部６３に表示される表示用シーケンスデータの設定が行われる（ステップ１０２）。
【００４５】
ステップ１０１で入力部５７により着信表示を行う設定がされていないと判定された場合及びステップ１０２の処理が行われた後には、ステップ１０３で着信通知として着信メロディの設定を行うか否かが判定される。ステップ１０３で着信メロディの設定がされていると判定された場合には、着信時に着信メロディの放音を行うことを指示するデータ（ＯＮ）の設定、及び着信時に放音される発音用シーケンスデータの設定が行われる（ステップ１０４）。
【００４６】
次いで、ステップ１０３で着信メロディの設定が行なわれていないと判定された場合及びステップ１０４の処理が行われた後には、ステップ１０５で着信通知としてバイブレータ６８の振動による着信通知の設定を行うか否かが判定される。ステップ１０５でバイブレータ６８の振動による着信通知の設定が行われていると判定された場合には、着信時にバイブレータ６８を駆動することにより着信通知を行うことを指示するデータ（ＯＮ）の設定が行われ（ステップ１０６）、この処理の実行を終了する。
【００４７】
次に、ＣＰＵ５０により実行される着信処理の内容を、図８のフローチャートを参照して説明する。同図において、着信が有った場合には（ステップ２００）、ステップ２０１で着信時に着信表示を行うことを指示するデータ（ＯＮ）が設定されているか否かが判定される。
【００４８】
ステップ２０１で着信時に着信表示を行うことを指示するデータ（ＯＮ）が設定されていると判定された場合には、ＲＡＭ５１の設定情報記憶エリアに設定されている表示用シーケンスデータが読み出され、表示用シーケンサ６０に出力される。表示用シーケンサ６０は、指定された画像データ、またはテキストデータを所定のタイミングで表示部６３に表示するように指示する。この結果、表示部６３には画像データ、またはテキストデータが時系列的に再生される（ステップ２０２）。
【００４９】
次いで、ステップ２０３では着信時に着信メロディの放音を行うことを指示するデータ（ＯＮ）が設定されているか否かが判定される。ステップ２０３で着信時に着信メロディの放音を行うことを指示するデータ（ＯＮ）が設定されていると判定された場合には、ＲＡＭ５１の設定情報記憶エリアに設定されている発音用シーケンスデータが読み出され、発音用シーケンサ６１は、発音用シーケンスデータに従い所定のタイミングでＦＭ音源６４を駆動し、混合器６６を介して着信用スピーカ６７に出力する。この結果、着信用スピーカ６７により指定されたメロディの楽音データが時系列的に再生される（ステップ２０４）。
【００５０】
更に、ステップ２０５では着信時にバイブレータ６８を駆動することにより着信通知を行うことを指示するデータ（ＯＮ）の設定が行われているか否かが判定される。ステップ２０５で着信時にバイブレータ６８の駆動による着信通知を行うことを指示するデータ（ＯＮ）の設定が行われていると判定された場合には、バイブレータ６８に駆動信号が送られる。この結果、バイブレータ６８は、駆動され、振動によりユーザに着信を通知する（ステップ２０６）。
【００５１】
本実施の形態では、上記ステップ２０２、２０４、２０６による着信表示、着信メロディの放音、バイブレータの振動、のうちの少なくとも１つの着信通知方法により着信通知が行われるものとする。
次いで、ステップ２０７では入力部５７において電話を受ける時に使用する開始キーが操作されたか否かが判定される。ステップ２０７で開始キーが操作されたと判定された場合には着信通知を終了し（ステップ２０８）、通話相手との通話状態に移行する（ステップ２０９）。
【００５２】
更に、ステップ２１０では、通話が終了したか否か、すなわち、入力部５７において終了キーが操作されたか否かが判定される。ステップ２１０で終了キーが操作されたと判定された場合には、回線の切断処理が行われ（ステップ２１１）、この処理の実行を終了する。
【００５３】
次に、ＣＰＵ５０により実行される発信処理の内容を図９のフローチャートを参照して説明する。この発信処理は、コンテンツ配信サーバ４４（図１）に記憶された辞書データベースに対してアクセスし、見出し語情報またはリンクアドレスを送信して意味情報を受信する処理を含んでいる。
【００５４】
図９において、発信時にはまず、入力部５７により、コンテンツ配信サーバ４４に送信する見出し語情報または見出し語情報に付与されたリンクアドレスの設定を行い（ステップ３００）、次いで、通信相手の端末装置のNo.、自端末のＩＤデータ及び辞書見出し語情報またはリンクアドレスを送信する（ステップ３０１）。ここで、辞書データベースをリンク先としている辞書リンク付き文書におけるリンクアドレスが付与された単語を入力部５７の操作により指定すると、リンクアドレスが自動的に相手端末に送信される。
さらに、ステップ３０２では、ステップ３０１で送信した通信相手の端末装置No.はコンテンツ配信サーバ４４のNo.か、すなわち、通信相手先の端末装置はコンテンツ配信サーバ４４であるか否かが判定される。
【００５５】
ステップ３０２で通信相手先の端末装置がコンテンツ配信サーバ４４でないと判定された場合には、通話チャネルを使用して通話が行われる（ステップ３０３）。次いで、ステップ３０４では通話が終了したか否か、すなわち携帯電話機１の入力部５７における終了キーが操作されたか否かが判定される。ステップ３０４で終了キーが操作されたと判定された場合には、ステップ３０５で回線の切断処理が行われ、この処理の実行を終了する。
【００５６】
一方、ステップ３０２で通信相手先の端末装置はコンテンツ配信サーバ４４であると判定された場合にはステップ３０６に移行し、ステップ３０６ではコンテンツ配信サーバ４４より、送信した見出し語情報またはその見出し語情報に付与されているリンクアドレスに対応した意味情報が含まれる１ページ目のデータ、すなわち、図４に示したようなグラフィックシーケンスデータ、テキストシーケンスデータ等の表示用シーケンスデータ、ＦＭシーケンスデータ、ＡＤＰＣＭシーケンスデータ等の発音用シーケンスデータが制御チャネルを使用して受信され、その受信内容はＲＡＭ５１の所定の記憶エリアに格納され、再生される。
【００５７】
ここで、上記意味情報は、ユーザによる入力部５７の操作に従い、まず、表示部６３に上記見出し語情報の意味を表す単語データが表示され、この表示画面を経由して発音手段としての発音用シーケンサにより駆動されるＡＤＰＣＭデコーダ６５により上記見出し語の発音の仕方を表す発音データが再生され、着信用スピーカから発音される。さらに、ユーザによる入力部５７の操作により、上記見出し語に関連する音が、ＦＭ音源６４またはＡＤＰＣＭデコーダ６５により再生され、着信用スピーカ６７により発音されるか、あるいは上記見出し語に関連する画像が表示部６３に表示される。
【００５８】
また、上記見出し語に関連する音が、ＦＭ音源６４またはＡＤＰＣＭデコーダ６５により再生される際には、上記見出し語に関連する音を表す発音データに基づいてバイブレータ６８が駆動される。例えば、検索する見出し語が「ＭＯＴＯＲＢＩＫＥ」である場合に、見出し語に関連する音としてエンジン音を再生する場合に、このエンジン音を表す発音データに基づいて同時に発音シーケンサ６１によりバイブレータ６８が駆動される。
これによりユーザにより辞書で引く単語の意味の理解を深めることができ、電子辞書機能を備えた携帯端末装置に対するユーザの興味を引き起こすことができる。
【００５９】
次いで、ステップ３０７では、送信した見出し語情報またはその見出し語情報に付与されているリンクアドレスに対応した意味情報が含まれる関連ページのデータを受信するか否かが判定される。携帯電話機１のユーザが関連ページについて受信する旨の指示を入力部５７により入力した場合には、指定した意味情報の関連ページについてデータを受信すると判定され、ステップ３０８では指定した意味情報の関連ページのデータがコンテンツ配信サーバ４４から受信され、この受信データはＲＡＭ５１の所定の記憶エリアに格納された後、再生される。ステップ３０８の処理が行われた後、処理はステップ３０７に戻り、同様の処理を繰り返す。
【００６０】
一方、ステップ３０７で送信した見出し語情報またはその見出し語情報に付与されているリンクアドレスに対応した意味情報が含まれる関連ページのデータを受信しないと判定された場合には、ステップ３０９に移行し、ステップ３０９で辞書データベースの検索を終了するか否かが判定される。ステップ３０９の判定が否定された場合には、ステップ３０７に戻り、既述した処理を繰り返す。
また、ステップ３０９の判定が肯定された場合には、ステップ３０５に移行し、ステップ３０５で回線の切断処理が行われ、この処理の実行を終了する。
【００６１】
なお、図９に示した例では、辞書データベースがコンテンツ配信サーバ４４内の記憶装置に記憶されている場合について説明したが、予め辞書データベース全体の内容をダウンロードして携帯端末装置としての携帯電話機１内のＲＡＭ５１に格納しておけば、辞書データベースが格納されているコンテンツ配信サーバ４４と通信する必要はなくなる。
【００６２】
本実施の形態に係る携帯端末装置によれば、見出し語情報を検索キーとして対応する意味情報を検索し、その検索結果を表示手段による表示および発音手段による発音で通知する際に、前記意味情報が、その見出し語情報の意味を表す単語データ、前記見出し語の発音の仕方を表す第１の発音データおよび前記見出し語に関連した音を表す第２の発音データを含んで構成されるので、知りたい見出し語情報の意味について、単語データを表示手段に表示し、かつ発音の仕方を表す音、および前記見出し語情報に関連した音を発明発音手段により発音させることができ、ユーザに辞書で引く単語の意味の理解を深めることができ、電子辞書機能を備えた携帯端末装置に対するユーザの興味を引き起こすことができる。
【００６３】
また、本実施の形態に係る携帯端末装置によれば、見出し語情報を検索キーとして対応する意味情報を検索した際、ユーザによる前記入力手段の操作にしたがい、表示手段に前記単語データを表示させ、該表示画面を経由して、発音手段による前記第１または第２の発音データに基づく発音を行うようしたので、ユーザの検索対象である見出し語に対する理解度に応じて電子辞書機能を利用することができる。
【００６４】
また、本実施の形態に係る携帯端末装置によれば、見出し語情報を検索キーとして対応する意味情報を検索し、その検索結果を表示手段による表示および発音手段による発音で通知する際に、前記意味情報が、その見出し語情報の意味を表す単語データ、前記見出し語の発音の仕方を表す発音データおよび前記見出し語に関連した画像を表す画像データを含んで構成されるので、知りたい見出し語情報の意味について、単語データおよびその見出し語に関連した画像を表示手段に表示し、かつ前記見出し語の発音の仕方を表す音を発音手段により発音させることができ、ユーザに辞書で引く単語の意味の理解を深めることができ、電子辞書機能を備えた携帯端末装置に対するユーザの興味を引き起こすことができる。
【００６５】
また、本実施の形態に係る携帯端末装置によれば、前記辞書データベースに対して、見出し語情報を検索キーとして対応する意味情報を検索した際、ユーザによる前記入力手段の操作にしたがい、前記表示手段に前記単語データを表示させ、該表示画面を経由して、前記発音手段による前記見出し語の発音の仕方を表す発音データに基づく発音、または前記表示手段による前記見出し語に関連した画像を表す画像データに基づく表示を行うように制御するので、ユーザの検索対象である見出し語に対する理解度に応じて電子辞書機能を利用することができる。
【００６６】
また、本実施の形態に係る携帯端末装置によれば、辞書データベースを無線通信手段を介してサーバ端末から得るようにしたので、辞書検索時にサーバ端末との通信が不要となり、検索時間を短縮することができる。
【００６７】
また、本実施の形態に係る携帯端末装置によれば、辞書データベースは外部のサーバ端末に記憶されたものであって、辞書検索時に前記無線通信手段を介して見出し語情報を送信し、前記サーバ端末で検索された検索結果を受信するようにしたので、記憶装置における辞書データベース用の記憶領域が不要となり、携帯端末装置に内蔵される記憶装置の記憶容量を低減できる。
【００６８】
また、本実施の形態に係る携帯端末装置によれば、電子辞書機能を実現するための発音手段を相手端末からの着信を受けたとき着信メロディを発音する発音手段と共用するように構成したので、装置構成の簡素化が図れる。
【００６９】
また、本実施の形態に係る携帯端末装置によれば、前記見出し語に関連した音を表す第２の発音データに基づき、前記バイブレータを駆動するようにしたので、辞書検索した結果、すなわち見出し語情報の意味についてユーザに対し感覚的により理解を深めることができる。
【００７０】
また、本実施の形態に係る携帯端末装置によれば、電子辞書機能を実現するためのバイブレータを、相手端末からの着信を受けたとき着信通知用振動をするバイブレータと共用するように構成したので、装置構成の簡素化が図れる。
【００７１】
また、本実施の形態に係る携帯端末装置によれば、前記各辞書項目情報は、該辞書項目情報を有する前記辞書データベースをリンク先としている辞書リンク付き文書から前記辞書データベースの所定の辞書項目情報にジャンプできるようにリンクアドレス情報を有するようにしたので、コンテンツ製作者は必要な単語にリンクを張り、より単語の内容を理解しやすいコンテンツを作成することができる。
【００７２】
【発明の効果】
以上に説明したように、請求項１に記載の発明によれば、知りたい見出し語情報の意味について、単語データを表示手段に表示し、かつ発音の仕方を表す音、および前記見出し語情報に関連した音を発音手段により発音させるとともに、発音データに基づいて振動手段により振動させることができ、ユーザに辞書で引く単語の意味の理解を深めることができ、電子辞書機能を備えた携帯端末装置に対するユーザの興味を引き起こすことができる。
また、ユーザの検索対象である見出し語に対する理解度に応じて電子辞書機能を利用することができる。
さらに、辞書データベースは外部のサーバ端末に記憶されたものであって、辞書検索時に前記無線通信手段を介して見出し語情報を送信し、前記サーバ端末で検索された検索結果を受信するようにしたので、記憶装置における辞書データベース用の記憶領域が不要となり、携帯端末装置に内蔵される記憶装置の記憶容量を低減できる。
【００７３】
請求項２に記載の発明によれば、電子辞書機能を実現するための発音手段を相手端末からの着信を受けたとき着信メロディを発音する発音手段と共用するように構成したので、装置構成の簡素化が図れる。
【００７４】
請求項３に記載の発明によれば、電子辞書機能を実現するためのバイブレータを、相手端末からの着信を受けたとき着信通知用振動をするバイブレータと共用するように構成したので、装置構成の簡素化が図れる。
【００７５】
請求項４に記載の発明によれば、前記各辞書項目情報は、該辞書項目情報を有する前記辞書データベースをリンク先としている辞書リンク付き文書から前記辞書データベースの所定の辞書項目情報にジャンプできるようにリンクアドレス情報を有するようにしたので、コンテンツ製作者は必要な単語にリンクを張り、より単語の内容を理解しやすいコンテンツを作成することができる。
【００７６】
請求項５に記載の発明によれば、電子辞書機能を実現するためのバイブレータを、相手端末からの着信を受けたとき着信通知用振動をするバイブレータと共用するように構成したので、装置構成の簡素化が図れる。
【００７７】
請求項６に記載の発明によれば、前記各辞書項目情報は、該辞書項目情報を有する前記辞書データベースをリンク先としている辞書リンク付き文書から前記辞書データベースの所定の辞書項目情報にジャンプできるようにリンクアドレス情報を有するようにしたので、コンテンツ製作者は必要な単語にリンクを張り、より単語の内容を理解しやすいコンテンツを作成することができる。
【図面の簡単な説明】
【図１】  本発明が適用される無線通信システムの構成を示すブロック図。
【図２】  本発明の実施の形態に係る携帯端末装置としての携帯電話機の電気的構成を示すブロック図。
【図３】  図２に示した携帯電話機における入力部のキー配列を示す説明図。
【図４】  図２に示した携帯電話機で再生されるコンテンツのフォーマットを示す説明図。
【図５】  コンテンツを構成する各シーケンスデータにおけるイベントデータとデュレーションデータとの関係を示す説明図。
【図６】  辞書データベースの内容を示す説明図。
【図７】  図２に示した携帯電話機におけるＣＰＵにより実行される着信通知設定処理の内容を示すフローチャート。
【図８】  図２に示した携帯電話機におけるＣＰＵにより実行される着信処理の内容を示すフローチャート。
【図９】  図２に示した携帯電話機におけるＣＰＵにより実行される発信処理の内容を示すフローチャート。
【符号の説明】
１  携帯端末装置
２  アンテナ
１０−１〜１０−３  移動局
２０−１、２０−２  基地局
３０  制御局
４０  公衆回線網
４２  コンテンツ配信サーバ
５０  ＣＰＵ（制御手段）
５１  ＲＡＭ
５２  ＲＯＭ
５３  通信部（無線通信手段）
５４  音声処理部
５６、６７  スピーカ
５７  入力部（入力手段）
６０  表示用シーケンサ
６１  発音用シーケンサ
６３  表示部（表示手段）
６４  ＦＭ音源（発音手段）
６５  ＡＤＰＣＭデコーダ（発音手段）
６６  混合器
７２  ＰＡＮＰＯＴ
【図１】
0003907935.tif 000002
【図２】
0003907935.tif 000003
【図３】
0003907935.tif 000004
【図４】
0003907935.tif 000005
【図５】
0003907935.tif 000006
【図６】
0003907935.tif 000007
【図７】
0003907935.tif 000008
【図８】
0003907935.tif 000009
【図９】
0003907935.tif 000010